(57)【要約】【課題】  気流による居住者等への不快感を低減させると共に、室内の換気効率の低減を防止することができる住宅換気構造を提供すること。【解決手段】  屋外から空気を吸入して住宅１内へ室内換気用の空気を導き入れる空気供給装置１１と、この空気供給装置１１に一端が連通されて空気供給装置１１により吸入された空気を部屋２内（室内）へ供給するための給気用ダクト１２と、この給気用ダクト１２の他端に連通されて給気用ダクト１２からの空気を部屋２内へ給気する給気ガラリ（給気口）２０とを備え、この給気ガラリ２０は、部屋２内の壁面２ａ下部又は床面２ｂ端部に形成されると共に、この給気ガラリ２０からの空気を部屋２内の一側壁面２ａ及び床面２ｂに沿わせる羽根板（風向調整手段）２２を備えている。【選択図】図３
2006317058.tif 000002
【特許請求の範囲】
【請求項１】
屋外から空気を吸入して住宅内へ室内換気用の空気を導き入れる空気供給装置と、
該空気供給装置に一端が連通されて前記空気供給装置により吸入された前記空気を室内へ供給するための給気用ダクトと、
該給気用ダクトの他端に連通されて当該給気用ダクトからの空気を前記室内へ給気する給気口とを備え、
該給気口は、前記室内の壁下部又は床面端部に形成されると共に、該給気口からの空気を室内の一側壁面及び床面に沿わせる風向調整手段を備えていることを特徴とする住宅換気構造。
【請求項２】
前記給気口は、平面視において、前記室内の空気を排出する排気口の近傍に設けられていることを特徴とする請求項１に記載の住宅換気構造。
【請求項３】
前記給気口は、前記室内に設けられたドアの回動軸近傍に位置し、前記排気口は、前記ドアの上方に形成された通気部であることを特徴とする請求項２に記載の住宅換気構造。
【発明の詳細な説明】
【技術分野】
【０００１】
本発明は、空気供給装置によって屋外から吸入した空気を、給気用ダクトを介して室内に供給する住宅換気構造に関するものである。
【背景技術】
【０００２】
従来から、住宅換気構造として、床部又は壁下部に給気ダクトのダクト開口を設けたものが知られている（例えば、特許文献１、特許文献２、特許文献３参照）。
【特許文献１】特開平６−３００３３１号公報
【特許文献２】特開２００２−１９４８２７号公報
【特許文献３】特開平２００２−９８３８０号公報
【発明の開示】
【発明が解決しようとする課題】
【０００３】
しかしながら、上述の住宅換気構造では、室内に供給された空気の気流が居住者等に直接当たることがあり、居住者等に不快感を与えてしまうという問題が生じていた。
【０００４】
また、室内の換気効率を低減させないために、ダクト開口からの風向きを部屋の中央部に向けて調整する必要があるという問題もあった。
【０００５】
そこで、この発明は、気流による居住者等への不快感を低減させると共に、室内の換気効率の低減を防止することができる住宅換気構造を提供することを目的としている。
【課題を解決するための手段】
【０００６】
上記課題を解決するために、請求項１に記載の発明にかかる住宅換気構造は、屋外から空気を吸入して住宅内へ室内換気用の空気を導き入れる空気供給装置と、該空気供給装置に一端が連通されて前記空気供給装置により吸入された前記空気を室内へ供給するための給気用ダクトと、該給気用ダクトの他端に連通されて当該給気用ダクトからの空気を前記室内へ給気する給気口とを備え、該給気口は、前記室内の壁下部又は床面端部に形成されると共に、該給気口からの空気を室内の一側壁面及び床面に沿わせる風向調整手段を備えていることを特徴としている。
【０００７】
請求項２に記載の発明は、請求項１に記載の住宅換気構造において、前記給気口は、平面視において、前記室内の空気を排出する排気口の近傍に設けられていることを特徴としている。
【０００８】
請求項３に記載の発明は、請求項２に記載の住宅換気構造において、前記給気口は、前記室内に設けられたドアの回動軸近傍に位置し、前記排気口は、前記ドアの上方に形成された通気部であることを特徴としている。
【発明の効果】
【０００９】
本願請求項１の発明によれば、空気が室内の一側壁面及び床面に沿って流れるので、室内にいる居住者等に直接気流を向けずに空気を供給することができ、居住者等に直接気流があたることがない。そのため、室内に供給された空気の気流による不快感を低減させることが可能となる。
【００１０】
また、室内の一側壁面及び床面に沿って空気を供給することで、室内の中央部に気流を向けなくとも、換気効率の低減を防止することができる。
【００１１】
本願請求項２の発明によれば、請求項１の効果に加え、給気口と排気口とが平面視で近傍に位置しているので、室内を流れる空気がらせん状に上昇しやすくなり、気流経路を長く確保することができて換気効率をさらに向上させることが可能となる。
【００１２】
本願請求項３の発明によれば、請求項２の効果に加え、給気口をドアの回動軸近傍に位置させることで、給気口を設置しても家具等の配置の自由度を低減させることがなくなる。
【００１３】
また、ドア上部の通気部が排気口であるので、給気口により室内に供給された空気の気流経路を整流化することができ、容易に室外に導き出すことができる。
【発明を実施するための最良の形態】
【００１４】
次に、図面に基づいて、この発明を実施するための最良の実施の形態の住宅換気構造を説明する。
【００１５】
なお、図中破断矢印で示す方向は、空気の流れる方向を示している。
【００１６】
図１は、本発明にかかる住宅換気構造１０を備えた住宅１を示した概略構成図である。
【００１７】
この住宅換気構造１０は、屋外からの空気を吸入して住宅１内へ室内換気用の空気を導き入れる空気供給装置１１と、この空気供給装置１１により吸入された空気を複数の部屋２内へ供給するための給気用ダクト１２と、この給気用ダクト１２からの空気を各部屋２内へ供給する給気ガラリ（給気口）２０と、各部屋２内の空気を室外へ排出する排気口１３とを備えている。
【００１８】
空気供給装置１１は、屋外の空気を吸入して部屋２内へ導入すると共に、部屋２内の空気を吸入して屋外へ排出するための熱交換機能を有しており、ここでは住宅１の床下空間１ａに配設されている。
【００１９】
また、この空気供給装置１１には、屋外から空気を吸入するための吸入ダクト１１ａと、屋外へ空気を排出するための排出ダクト１１ｂと、室外から空気を吸入する排気用ダクト１４とが接続されている。ここで、吸入ダクト１１ａ及び排出ダクト１１ｂは、外気に連通している。
【００２０】
給気用ダクト１２は、長径ＬＲが１００ｍｍ〜３００ｍｍ、短径ＭＲが４０ｍｍ〜８０ｍｍの断面ほぼ楕円形状を呈したいわゆる扁平ダクトであり（図２（ｂ）参照）、一端が空気供給装置１１に接続されると共に、床下空間１ａ及び壁面２ａの内部を通って、他端が給気ガラリ２０へと通じている。
【００２１】
ここで、この給気用ダクト１２を配設するには、図２（ａ）に示すように、床下空間１ａから複数の床妻梁３１の間を通して壁面２ａの内側に挿入すると共に、壁面２ａの内側から複数の天井妻梁３２の間を通して天井上空間１ｂに挿入する。
【００２２】
このとき、図２（ｂ）に示すように、給気ダクト１２は、建物ユニットＵ１の壁面２ａと隣接する建物ユニットＵ２の壁面２ａとの間に配設される。
【００２３】
なお、図２（ａ）中、３１ａは床妻梁上に設置された床板であり、３２ａは天井妻梁下に吊り材３２ｂを介して設置された天井板である。また、３３は柱であり、この柱３３に、床妻梁３１及び天井妻梁３２を支持する床梁３４及び天井梁３５がそれぞれ固定されている。
【００２４】
さらに、このとき、床梁３４と床板３１ａとの隙間Ｋ１が５０ｍｍ〜１００ｍｍであり、天井梁３５と天井板３２ａとの隙間Ｋ２が５０ｍｍ〜１００ｍｍとなっている。これにより、給気用ダクト１２は、隙間Ｋ１及び隙間Ｋ２に容易に通すことができる。
【００２５】
給気ガラリ２０は、図３に示すように、部屋２に設けられたドア１５のヒンジ１５ａ近傍の壁面２ａ下部に設けられている。ドア１５はヒンジ１５ａを中心に回動可能になっており、このヒンジ１５ａがドア１５の回動軸となっている。そのため、給気ガラリ２０は、ドア１の回動軸近傍に位置することとなる。
【００２６】
また、この給気ガラリ２０は、図４（ａ）に示すように、給気用ダクト１２と連通しており、給気用ダクト１２によって導かれた空気は、給気ガラリ２０を介して部屋２内に供給されるようになっている。
【００２７】
給気ガラリ２０は、図４（ｂ）に示すように、部屋２の壁面２ａに形成された開口に嵌合した枠部材２１と、枠部材２１に回動可能に取り付けられた風向調整手段である複数の羽根板２２とを有している。
【００２８】
枠部材２１は、ここでは、横幅Ｌが１００ｍｍ〜４００ｍｍ、高さＨが１００ｍｍ〜３００ｍｍの大きさとなっている。また、複数の羽根板２２は、横幅が２０ｍｍに形成されると共に、２０ｍｍ〜７０ｍｍの間隔を均等に保ちつつそれぞれ同方向に回動されるようになっている。
【００２９】
そして、複数の羽根板２２は、給気ガラリ２０から供給された空気が壁面２ａ及び床面２ｂに沿って流れるように、それぞれ壁面２ａに対して僅かに傾斜する角度に設定されている。
【００３０】
一方、ドア１５の上部には、図５（ａ）に示すように、部屋２内に供給された空気を室外へ逃がすための通気部が形成されている。ここでは、この通気部が排気口１３となっている。
【００３１】
このように、給気ガラリ２０がドア１５のヒンジ１５ａ近傍（回動軸近傍）に位置すると共に、排気口１３である通気部がドア１５の上部に位置しているので、給気ガラリ２０と排気口１３とは、図６（ｂ）に示すように、平面視において近傍に位置することとなる。
【００３２】
この通気部である排気口１３は、ドア１５を閉鎖した際に、このドア１５がドア用開口に設けられた枠材（戸当り）１６の四隅にそれぞれ設けられたスペーサー１７に当接することによって、ドア１５と枠材１６との間に形成されるようになっている。
【００３３】
そして、部屋２内の空気は、この排気口１３を通って室外空間１ｃ、例えば廊下等に流れ出る構造となっている。
なお、図５（ｂ）に示すように、ドア１５の下端部には、床面２ｂと、ドア下面１５ａとの隙間を塞ぐ気密部材１８が設けられている。
【００３４】
この気密部材１８は、ドア１５の下端部に形成された収納空間１５ｂ内に昇降可能に配設されており、ドア１５を閉鎖した際に気密部材１８が床面２ｂに接触するまで降下するようになっている。
【００３５】
排気用ダクト１４は、一端が空気供給装置１１に接続されると共に、他端が室外空間１ｃに開放した排気ガラリ１９と通じている（図１参照）。なお、ここで排気ガラリ１９は、階段下部等に設けられている。
【００３６】
そして、排気口１３から室外空間１ｃに流れ出た空気は、排気ガラリ１９を介して排気用ダクト１４内に流れ込み、空気供給装置１１によって屋外へと排出される。
【００３７】
次に、この発明の住宅換気構造１０の作用について説明する。
【００３８】
住宅１内の空気を換気するには、まず空気供給装置１１によって屋外の空気を吸入する。この屋外の空気は、吸入ダクト１１ａを介して空気供給装置１１に吸入され、給気用ダクト１２によって給気ガラリ２０に導かれる。
【００３９】
このとき、給気用ダクト２０は分岐されて各部屋２に向かって延在されているので、複数の部屋２のそれぞれに屋外の空気を供給することができる。
【００４０】
また、給気用ダクト１２は、建物ユニットＵ１の壁面２ａと隣接する建物ユニットＵ２の壁面２ａとの間に配設されているので、建物ユニット間空間を利用して配設することが可能となる。
【００４１】
そのため、建物ユニットを製造する工程において給気用ダクト１２をあらかじめ建物ユニットに取り付けることができ、ダクト施工の作業効率を向上させることが可能となる。
【００４２】
さらに、この給気用ダクト１２がいわゆる扁平ダクトであるので、十分な通気量を確保しながら、建物ユニット間空間に確実に納めることができる。
【００４３】
そして、この給気ガラリ２０から屋外の空気が部屋２内に供給されと、この空気は給気ガラリ２０の羽根板２２の間を通って部屋２内に流出する。
【００４４】
このとき、羽根板２２は、空気が壁面２ａ及び床面２ｂに沿って流れるように回動角度が調整されているので、図６（ａ）に示すように、空気は、部屋２内の一側壁面２ａ及び床面２ａに沿って流れる。
【００４５】
そして、この部屋２内に供給された空気は、壁面２ａに沿って流れながら（図６（ｂ）参照）次第に上昇し、らせん状に流れてドア１５の上部に形成された通気部である排気口１３から室外空間１ｃに流れ出る。
【００４６】
このように、風向調整手段である羽根板２２によって、給気ガラリ２０から流れ出る空気を壁面２ａ及び床面２ｂに沿わせることができるので、供給された空気の気流が部屋２の中央部である居住空間に向わず、室内にいる居住者等に直接気流を向けずに空気を供給することができる。
【００４７】
これにより、居住者等に直接気流が当たることがなく、室内に供給された空気の気流による不快感を低減することができる。
【００４８】
なお、冬季、特に最寒冷期において、部屋２の中央部に向かって空気を供給する場合では、空気の吹出口である給気ガラリ２０から２００ｃｍ以下で気流感を感じ、給気ガラリ２０から１００ｃｍ以下でドラフト感を感じることが確認されている。
【００４９】
本発明の住宅換気構造１０では、供給された空気が居住者等に直接当たらないので、冬季であっても気流感やドラフト感といった不快感を緩和することができる。
【００５０】
また、部屋２内に供給された空気をらせん状に流すことができるので、空気が流れる気流経路を十分長く確保することができ、換気効率を向上させることができる。
【００５１】
なお、トレーサーガスを低減させるための換気回数測定実験では、従来の天井から給気すると共に、床面または壁面下部から排気する場合と比較すると、同一換気風量で約１．７倍の換気回数となった。
【００５２】
このため、換気効率が低減せず、給気ガラリ２０からの風向きを部屋２の中央部に向けて調節する必要がなくなる。
【００５３】
さらに、ここでは、給気ガラリ２０と排気口１３とが平面視において近傍に位置しているので、部屋２内を流れる空気がらせん状に上昇しやすくなり、気流経路を長く確保することができて換気効率をさらに向上させることが可能となる。
【００５４】
また、給気ガラリ２０をドア１５の回動軸であるヒンジ１５ａ近傍に位置させることで、給気ガラリ２０を設置しても家具等の配置の自由度を低減させることがなくなる。
【００５５】
そして、ドア１５の上部の通気部が排気口１３となっているので、給気ガラリ２０から部屋２内に供給された空気の気流経路を整流化することができ、空気を容易に室外空間１ｃに導き出すことができる。
【００５６】
以上、この発明にかかる実施の形態を図面により詳述してきたが、具体的な構成は上述の実施の形態に限らない。この発明の要旨を逸脱しない範囲の設計の変更等はこの発明に含まれる。
【００５７】
例えば、上述の実施の形態では、給気ガラリ２０を壁面２ａ下部に設けたが、図７に示すように、床面２ａの端部に設けてもよい。なお、「床面２ａ端部」とは、床面２ａの壁際近傍であり、壁面２ａに近い位置である。
【００５８】
この給気ガラリ４０は、床面２ｂに形成された開口に嵌合した枠部材４１と、枠部材４１に回動可能に取り付けられた風向調整手段である複数の羽根板４２とを有している。
【００５９】
枠部材４１は、ここでは、横幅Ｌが１００ｍｍ〜４００ｍｍ、縦幅Ｔが５０ｍｍ〜４００ｍｍの大きさとなっている。また、複数の羽根板４２は、幅が１０ｍｍ〜４０ｍｍの間で次第に大きくなるように形成されると共に、１０ｍｍ〜７０ｍｍの間隔を均等に保ちつつそれぞれ同方向に回動されるようになっている。
【００６０】
羽根板４２の幅を次第に変化させることにより、羽根板４２の間から流れ出る空気をさらに床面２ｂに沿わせやすくすることができる。
【００６１】
そして、複数の羽根板４２は、給気ガラリ４０から供給された空気が壁面２ａ及び床面２ｂに沿って流れるように、それぞれ床面２ｂに対して僅かに傾斜する角度に設定されている。
【００６２】
また、この床面２ｂに設置された給気ガラリ４０は、床下空間１ａに配設された給気用ダクト１２に連通しているので、給気用ダクト１２の配設経路を短くすることが可能となる。
【００６３】
さらに、上述の実施の形態では、排気口１３がドア１５の上部に形成された通気部であるが、排気口１３を設ける位置はこれに限らず、例えば、ドア１５の上部及び下部の双方に設けてもよいし、ドア１５の周囲全周にわたって設けてもよい。
【００６４】
この場合、排気口１３の開口面積を拡大することができて、室外空間１ｃに空気を排出しやすくすることができる。
【図面の簡単な説明】
【００６５】
【図１】本発明にかかる住宅換気構造を備えた住宅を示す概略構成図である。
【図２】（ａ）は給気用ダクトの立上げ構造を示す要部を拡大した断面図であり、（ｂ）は図２（ａ）におけるＡ−Ａ断面図である。
【図３】壁面下部に給気ガラリが設置された部屋内を示す斜視図である。
【図４】（ａ）は給気ガラリの断面図であり、（ｂ）は給気ガラリの正面図である。
【図５】（ａ）は上部に通気部が形成されたドアの断面図であり（ｂ）は図５（ａ）におけるＢ部の拡大図である。
【図６】（ａ）は図３における部屋内での空気の流れを模式的に示す説明図であり、（ｂ）は図６（ａ）における平面図である。
【図７】床面に給気ガラリが設置された室内を示す斜視図である。
【符号の説明】
【００６６】
２                  部屋
２ａ                壁面
２ｂ                床面
１０                住宅換気構造
１１                空気供給装置
１２                供給用ダクト
２０                給気ガラリ（給気口）
２２                羽根板（風向調整手段）
【図１】
2006317058.tif 000003
【図２】
2006317058.tif 000004
【図３】
2006317058.tif 000005
【図４】
2006317058.tif 000006
【図５】
2006317058.tif 000007
【図６】
2006317058.tif 000008
【図７】
2006317058.tif 000009